(57)【要約】【課題】  より適切に手ぶれ補正処理を制御することが可能な撮像装置を提供する。【解決手段】  撮像装置は、ファインダと撮影者との相対位置関係を検出し（ステップＳＰ３）、検出された相対位置関係に基づいて、撮像装置における手ぶれを補正する手ぶれ補正処理を制御する（ステップＳＰ４，ＳＰ５，ＳＰ７，ＳＰ１１，ＳＰ１３）。相対位置関係は、たとえば、撮像装置の本体に対するファインダの回転角度等に基づいて取得される。【選択図】図１１
2005175897.tif 000002
【特許請求の範囲】
【請求項１】
撮像装置であって、
撮影レンズと、
前記撮影レンズからの被写体像を画像として取得する撮像素子と、
被写体像を確認するファインダと、
前記ファインダと撮影者との相対位置関係を検出する検出手段と、
前記撮像装置における手ぶれを補正する手ぶれ補正処理を行う補正手段と、
を備え、
前記補正手段は、前記検出手段によって検出された前記相対位置関係に基づいて、前記手ぶれ補正処理を制御することを特徴とする撮像装置。
【請求項２】
請求項１に記載の撮像装置において、
前記ファインダは、前記撮像素子により取得された画像を表示する電子ファインダであることを特徴とする撮像装置。
【請求項３】
請求項１または請求項２に記載の撮像装置において、
前記ファインダは、前記撮像装置の本体に対して回転可能に設けられており、
前記検出手段は、前記撮像装置の本体に対する前記ファインダの回転角度に基づいて、前記相対位置関係を取得することを特徴とする撮像装置。
【請求項４】
請求項１から請求項３のいずれかに記載の撮像装置において、
前記補正手段は、前記相対位置関係に基づいて撮影者によるハイアングル撮影およびローアングル撮影のいずれかが行われていると判定するときには前記手ぶれ補正処理を行い、前記ハイアングル撮影および前記ローアングル撮影のいずれもが行われていないと判定するときには前記手ぶれ補正処理を行わないことを特徴とする撮像装置。
【請求項５】
請求項１に記載の撮像装置において、
前記検出手段は、前記ファインダに対する撮影者の近接度合いを検出する接眼検出部を有し、当該接眼検出部の出力に基づいて前記相対位置関係を検出することを特徴とする撮像装置。
【請求項６】
請求項５に記載の撮像装置において、
前記ファインダは、被写体像を確認する光学ファインダであることを特徴とする撮像装置。
【請求項７】
請求項５に記載の撮像装置において、
前記ファインダは、前記撮像素子により取得された画像を表示する電子ファインダであることを特徴とする撮像装置。
【請求項８】
請求項５から請求項７のいずれかに記載の撮像装置において、
前記検出手段は、前記接眼検出部の出力に基づいて前記相対位置関係を検出し、
前記補正手段は、前記接眼検出部の出力を所定の閾値と比較して接眼状態であるか否かを判定し、前記接眼状態であると判定されるときには前記手ぶれ補正処理を行わず、前記接眼状態でないと判定されるときには前記手ぶれ補正処理を行うことを特徴とする撮像装置。
【請求項９】
請求項８に記載の撮像装置において、
前記補正手段は、前記接眼検出部の出力が少なくとも一定期間継続して前記所定の閾値に関する所定の条件を満足するときに、接眼状態であると判定することを特徴とする撮像装置。
【請求項１０】
請求項８に記載の撮像装置において、
前記補正手段は、前記接眼検出部の出力が少なくとも一定期間継続して所定の閾値以上であることを条件に接眼状態であると判定することを特徴とする撮像装置。
【請求項１１】
請求項１から請求項１０のいずれかに記載の撮像装置において、
前記補正手段は、前記撮影レンズと前記撮像素子との相対移動を行うことによって、前記手ぶれを補正する光学的補正手段を有することを特徴とする撮像装置。
【発明の詳細な説明】
【技術分野】
【０００１】
本発明は、撮像装置に関し、特に手ぶれ補正処理に関する。
【背景技術】
【０００２】
撮像装置において、手ぶれ補正を行う技術が存在する（例えば、特許文献１などを参照）。これによれば、不安定な撮影姿勢で撮影するときに生じる手ぶれを補正して、ブレの無い綺麗な画像を得ることが可能になる。
【０００３】
また、特許文献１においては、被写体像を確認するための２種類のファインダ、具体的には、（非接眼式の）液晶表示部と（接眼式の）電子ビューファインダとを備えるビデオカメラにおいて、いずれのファインダが用いられているかを判別して、その判別結果に応じて手ぶれ補正効果を調整する技術が記載されている。
【０００４】
【特許文献１】特開２００２−３１１４７０号公報
【発明の開示】
【発明が解決しようとする課題】
【０００５】
ところで、上記の特許文献１に記載の技術においては、２種類のファインダのいずれが用いられているかを切替スイッチの状態に応じて判定し、液晶表示部が用いられていると判定される場合と電子ビューファインダが用いられていると判定される場合とで、手ぶれ補正処理の効果を調節する技術が記載されている。
【０００６】
この技術は、上記の判定結果に基づいて手ぶれの程度を判断するという思想に基づくものである。具体的には、液晶表示部を用いる場合には電子ビューファインダを用いる場合に比べて手ぶれの程度が比較的大きくなる、との判断に基づくものである。
【０００７】
しかしながら、実際には、液晶表示部を用いて被写体像を確認する場合であっても、電子ビューファインダを用いる場合と同じ程度に手ぶれの程度が小さいときもある。また、液晶表示部にライブビュー画像を表示させつつ、光学ファインダを覗いて被写体を確認して撮影することなどもある。
【０００８】
そのため、２種類のファインダのうちいずれのファインダが切替スイッチによって選択されて用いられているかのみに応じて、手ぶれの程度を判断することは必ずしも適切でないことがある。そして、手ぶれの程度の判定自体が適切でないことに起因して、上記の判定結果に基づく手ぶれ補正処理の制御は、必ずしも適切でないことがある。
【０００９】
そこで、この発明の課題は、より適切に手ぶれ補正処理を制御することが可能な撮像装置を提供することにある。
【課題を解決するための手段】
【００１０】
上記課題を解決すべく、請求項１に記載の発明は、撮像装置であって、撮影レンズと、前記撮影レンズからの被写体像を画像として取得する撮像素子と、被写体像を確認するファインダと、前記ファインダと撮影者との相対位置関係を検出する検出手段と、前記撮像装置における手ぶれを補正する手ぶれ補正処理を行う補正手段と、を備え、前記補正手段は、前記検出手段によって検出された前記相対位置関係に基づいて、前記手ぶれ補正処理を制御することを特徴とする。
【００１１】
請求項２に記載の発明は、請求項１の発明に係る撮像装置において、前記ファインダは、前記撮像素子により取得された画像を表示する電子ファインダであることを特徴とする。
【００１２】
請求項３に記載の発明は、請求項１または請求項２の発明に係る撮像装置において、前記ファインダは、前記撮像装置の本体に対して回転可能に設けられており、前記検出手段は、前記撮像装置の本体に対する前記ファインダの回転角度に基づいて、前記相対位置関係を取得することを特徴とする。
【００１３】
請求項４に記載の発明は、請求項１から請求項３のいずれかの発明に係る撮像装置において、前記補正手段は、前記相対位置関係に基づいて撮影者によるハイアングル撮影およびローアングル撮影のいずれかが行われていると判定するときには前記手ぶれ補正処理を行い、前記ハイアングル撮影および前記ローアングル撮影のいずれもが行われていないと判定するときには前記手ぶれ補正処理を行わないことを特徴とする。
【００１４】
請求項５に記載の発明は、請求項１の発明に係る撮像装置において、前記検出手段は、前記ファインダに対する撮影者の近接度合いを検出する接眼検出部を有し、当該接眼検出部の出力に基づいて前記相対位置関係を検出することを特徴とする。
【００１５】
請求項６に記載の発明は、請求項５の発明に係る撮像装置において、前記ファインダは、被写体像を確認する光学ファインダであることを特徴とする。
【００１６】
請求項７に記載の発明は、請求項５の発明に係る撮像装置において、前記ファインダは、前記撮像素子により取得された画像を表示する電子ファインダであることを特徴とする。
【００１７】
請求項８に記載の発明は、請求項５から請求項７のいずれかの発明に係る撮像装置において、前記検出手段は、前記接眼検出部の出力に基づいて前記相対位置関係を検出し、前記補正手段は、前記接眼検出部の出力を所定の閾値と比較して接眼状態であるか否かを判定し、前記接眼状態であると判定されるときには前記手ぶれ補正処理を行わず、前記接眼状態でないと判定されるときには前記手ぶれ補正処理を行うことを特徴とする。
【００１８】
請求項９に記載の発明は、請求項８の発明に係る撮像装置において、前記補正手段は、前記接眼検出部の出力が少なくとも一定期間継続して前記所定の閾値に関する所定の条件を満足するときに、接眼状態であると判定することを特徴とする。
【００１９】
請求項１０に記載の発明は、請求項８の発明に係る撮像装置において、前記補正手段は、前記接眼検出部の出力が少なくとも一定期間継続して所定の閾値以上であることを条件に接眼状態であると判定することを特徴とする。
【００２０】
請求項１１に記載の発明は、請求項１から請求項１０のいずれかの発明に係る撮像装置において、前記補正手段は、前記撮影レンズと前記撮像素子との相対移動を行うことによって、前記手ぶれを補正する光学的補正手段を有することを特徴とする。
【発明の効果】
【００２１】
請求項１から請求項１１に記載の発明によれば、より適切に手ぶれ補正処理を制御することが可能である。
【００２２】
特に、請求項４および請求項８に記載の発明によれば、手ぶれ補正を的確なタイミングで実行することができる。
【００２３】
また、請求項９および請求項１０に記載の発明によれば、接眼状態であるか否かをより正確に判定することができるので、手ぶれ補正処理を実行すべきか否かについての判定精度を向上させることができる。
【００２４】
さらに、請求項１１に記載の発明によれば、特に消費電力低減の要請が大きい光学補正式の手ぶれ補正において、消費電力を低減することができる。
【発明を実施するための最良の形態】
【００２５】
＜１．第１実施形態＞
＜１Ａ．構成＞
＜概要＞
図１は、第１実施形態に係るデジタルカメラ（撮像装置）の主たる構成を示す断面図である。このデジタルカメラ（より詳細にはデジタルスチルカメラ）１は、手ぶれによる画像中の被写体像のぶれを補正（抑制）する手ぶれ補正機能を有している。図に示すようにデジタルカメラ１は、主としてカメラ本体部２と、カメラ本体部２に固設される撮影レンズ（撮影光学系）３とから構成される。なお、以下の説明においては、図に示すＸＹＺ３次元直交座標系を適宜用いて、方向および向きを示すこととする。ここで、Ｚ軸方向は撮影レンズ３の光軸Ｌに沿った方向であり、Ｚ軸正方向は入射光の入射先となる向き（図において右向き）である。また、Ｙ軸方向は鉛直方向であり、Ｙ軸正方向は鉛直上向き（図において上向き）である。さらに、Ｘ軸方向は図面（紙面）に対しての垂直方向であり、Ｘ軸正方向は図面（紙面）に対する垂直下向きである。これらＸＹＺ軸は、カメラ本体部２のハウジング２ａに対して相対的に固定される。
【００２６】
撮影レンズ３は主として、鏡胴３１、ならびに、鏡胴３１の内部に設けられる複数のレンズ群３２および絞り３３から構成される。撮影レンズ３はズームレンズとして構成され、レンズ群３２の配置をＺ軸方向に変更することにより、焦点距離（撮像倍率）を変更可能とされている。撮影レンズ３を介して形成される被写体の光像は、図２に示すように、結像されるＸＹ平面（以下、「結像平面」という。）上において略円形の形状となり、イメージサークルＩＣと呼ばれる。なお、イメージサークルの中心位置ＣＣは、撮影レンズ３の結像平面と撮影レンズ３の光軸との交点であるとも表現できる。
【００２７】
撮影レンズ３の光軸Ｌの後方（Ｚ軸正方向側）には、カメラ本体部２のハウジング２ａに収容されたＣＣＤ５が配置されている。ＣＣＤ５は、カラーフィルタがそれぞれ付された微細な画素群で構成される撮像素子であり、撮影レンズ３によって結像される被写体の光像（被写体像）を、例えばＲＧＢの色成分を有する画像信号に光電変換する。
【００２８】
ＣＣＤ５の受光面は結像平面と一致するように配置され、イメージサークルを含む結像平面の一部の領域が画像データ（本明細書中では、適宜単に「画像」ともいう。）として取得されることとなる。図２において、矩形の領域ＰＡは結像平面上におけるＣＣＤ５の有効画素群の配置の例を示している。この領域は結像平面上にて画像として取得される領域であるため「画像取得領域」ＰＡともいう。
【００２９】
ＣＣＤ５はＣＣＤ移動部５０内に固定されて配置される。ＣＣＤ５は、このＣＣＤ移動部５０によりＺ軸に直交するＸＹ平面内にて移動することが可能とされている。図３は、ＣＣＤ５を含めたＣＣＤ移動部５０の分解斜視図である。
【００３０】
図３に示すように、ＣＣＤ移動部５０は主として、ハウジング２ａに固設されるベース板５１、ベース板５１に対してＸ軸方向に移動する第１スライダ５２、および、第１スライダ５１に対してＹ軸方向に移動する第２スライダ５３の３つの部材から構成される。
【００３１】
ベース板５１は、撮影レンズ３からの入射光を通過可能に中央部が開口しており、Ｘ軸方向に延設される第１アクチュエータ５１１、および、スプリング５５を掛けるための第１スプリング掛け５１２を備えている。第２スライダ５３は、ＣＣＤ５を固定可能な開口部５３３がその中央部に形成されるとともに、Ｙ軸方向に延設される第２アクチュエータ５３１、および、剛球５４をＺ軸方向両面に遊嵌する剛球受け５３２を備えている。また、第１スライダ５２は中央部が開口しており、第１アクチュエータ５１１と対向する位置に第１摩擦結合部５２１、および、第２アクチュエータ５３１と対向する位置に第２摩擦結合部５２２がそれぞれ設けられ、さらに、第１スプリング掛け５１２と対向する位置に第２スプリング掛け５２３が設けられる。
【００３２】
第１アクチュエータ５１１および第２アクチュエータ５３１はそれぞれ、圧電素子と延設方向に駆動可能な駆動ロッドとを備えており、圧電素子に印加される駆動パルスに応じた量および向きに駆動ロッドが移動するようになっている。
【００３３】
ＣＣＤ移動部５０が組み上げられるときには、ＣＣＤ５が第２スライダ５３の開口部５３３に嵌合して固設されるとともに、第１アクチュエータ５１１の駆動ロッドと第１摩擦結合部５２１とが摩擦結合され、第２アクチュエータ５３１の駆動ロッドと第２摩擦結合部５２２とが摩擦結合される。また、ベース板５１と第１スライダ５２とは、スプリング５５によって相互に接近する向きに付勢される。このとき、第２スライダ５３は、ベース板５１と第１スライダ５２とに剛球５４を介して挟み込まれた状態とされる。これにより、Ｚ軸負方向側から正方向側に向かって、ベース板５１、第２スライダ５３、第１スライダ５２の順に重なって、これら部材５１，５３，５２が配置されることとなる。
【００３４】
このようなＣＣＤ移動部５０が組み上げられた状態で、第１アクチュエータ５１１の駆動ロッドが緩速で移動すると、これに摩擦結合する第１摩擦結合部５２１により第１スライダ５２がベース板５１に対してＸ軸方向に移動する。このとき、第１スライダ５２の移動にあわせて第２スライダ５３もベース板５１に対してＸ軸方向に移動する。第１アクチュエータ５１１の駆動ロッドが急速に移動すると、慣性により第１スライダ５２は停止する。また、第２アクチュエータ５３１の駆動ロッドが緩速で移動すると、これに摩擦結合する第２摩擦結合部５２２により第２スライダ５３が第１スライダ５２に対してＹ軸方向に移動する。このとき、第１スライダ５２のベース板５１に対する移動はなされないため、第２スライダ５３は単独でベース板５１に対してＹ軸方向に移動することとなる。第２アクチュエータ５３１の駆動ロッドが急速に移動すると、慣性により第２スライダ５３は停止する。つまり、各圧電素子に与えられる駆動パルスによって各駆動ロッドが速度の異なる往動および復動（振動）を行うことにより、第２スライダ５３がＸ軸・Ｙ軸方向に移動することとなる。
【００３５】
また、前述したように、ベース板５１はカメラ本体部２のハウジング２ａに固設され、ＣＣＤ５は第２スライダ５３に固設されることから、ＣＣＤ５はカメラ本体部２のハウジング２ａに対してＸＹ平面内にて相対的に移動することとなる。これにより、撮影レンズ３により形成されるイメージサークルＩＣと、ＣＣＤ５との相対位置が変更可能とされ、イメージサークルＩＣ中において画像として取得される領域が変更されることとなる。
【００３６】
図１に戻り、ＣＣＤ５のＺ軸正方向側には、移動するＣＣＤ５の位置を検出するためのＣＣＤ位置センサ５８が配置されている。ＣＣＤ位置センサ５８は、発光ダイオード等で構成される２つの投光部５６ａ，５６ｂ、および、フォトダイオード等で構成される２つの受光部５７ａ，５７ｂを備えている。投光部５６ａ，５６ｂはＣＣＤ５の裏面側（Ｚ軸正方向側）に固設される一方、受光部５７ａ，５７ｂは投光部５６ａ，５６ｂにそれぞれ対向するようにカメラ本体部２のハウジング２ａに固設される。投光部５６ａ，５６ｂから投光された光は受光部５７ａ，５７ｂにて受光可能となっており、この受光部５７ａ，５７ｂにて受光する光の位置の変化から、ＣＣＤ５の位置がＸＹ座標位置として求められる。具体的には、第１投光部５６ａおよび第１受光部５７ａにてＣＣＤ５のＸ軸方向の位置を検出し、第２投光部５６ｂおよび第２受光部５７ｂにてＣＣＤ５のＹ軸方向の位置を検出するようになっている。
【００３７】
また、カメラ本体部２のハウジング２ａの内部には、デジタルカメラ１の手ぶれによる振動を検出する振動センサ４０が設けられている。振動センサ４０は、２つの角速度センサ（第１角速度センサ４１および第２角速度センサ４２）を備えており、第１角速度センサ４１にてＸ軸を中心とした回転振動（ピッチング）Ｐｉの角速度が検出され、第２角速度センサ４２にてＹ軸を中心とした回転振動（ヨーイング）Ｙａの角速度が検出される。この振動センサ４０により検出される２つの角速度に基づいて、ＣＣＤ５がＸ軸およびＹ軸のそれぞれの方向に移動されることにより、画像中の被写体像のぶれの補正、すなわち、手ぶれ補正がなされることとなる。
【００３８】
カメラ本体部２の上面側にはシャッタボタン６１が設けられる。シャッタボタン６１は、撮影準備の開始や撮像（露光開始）の指示をユーザから受け付けるボタンであり、半押し状態（以下、Ｓ１状態とも称する）と全押し状態（以下、Ｓ２状態とも称する）とが検出可能な２段階スイッチになっている。
【００３９】
デジタルカメラ１は、シャッタボタン６１が半押し状態Ｓ１にまで押下されると「撮影準備開始指令」が入力されたものと判定し、シャッタボタン６１が全押し状態Ｓ２にまで押下されると「撮影指令」が入力されたものと判定する。
【００４０】
また、カメラ本体部２の背面側には、操作部６０（図４参照）、ＬＣＤ８１、および光学ファインダ８２（図５参照）が設けられる。
【００４１】
操作部６０は、デジタルカメラ１の各種指示や設定をユーザから受け付けるものである。操作部６０は、独立して設けられた複数の操作部材（ボタン、スイッチなど）を有している。具体的には、操作部６０は、前述のシャッタボタン６１の他、モードスイッチ６２（図４参照）、表示切替ボタン６３、および手ぶれ補正切替ボタン６４、十字カーソルボタン６５などを有している。なお、モードスイッチ６２、表示切替ボタン６３、および手ぶれ補正切替ボタン６４は、図示の都合上、図１には示していないが、カメラ本体部２の表面の適宜の位置に設けられている。また、これら複数の操作部材は、カメラ本体部２の背面だけでなく、カメラ本体部２の側面および上面などにも適宜設けられる。
【００４２】
操作者（ユーザ）は、この操作部６０にて所定の操作を行うことにより、各種の設定操作を行うことができる。
【００４３】
例えば、操作者は、モードスイッチ６２を操作することによって、デジタルカメラ１のモードを再生モードと撮影モードとの間で切り替えることができる。また、モードスイッチ６２は、電源スイッチを兼ねており、電源のオン・オフ操作も行うことができる。
【００４４】
また、操作者は、表示切替ボタン６３を操作することによって、デジタルカメラ１のＬＣＤ８１の状態を表示状態および非表示状態との間で切り替えることができる。具体的には、操作者が表示切替ボタン６３を押下するごとに、ＬＣＤ８１の表示状態と非表示状態とが順次に切り替わる。
【００４５】
さらに、操作者（撮影者）は、手ぶれ補正切替ボタン６４を操作することによって、デジタルカメラ１における手ぶれ補正のモードを切り替えることができる。具体的には、操作者が手ぶれ補正切替ボタン６４を押下するごとに、３つのモード（「自動モード」、「強制補正モード」、「非実施モード」）が順次に切り替わる。ここで、「自動モード」は、手ぶれ補正処理の必要性がデジタルカメラ１によって自動的に判断されるモードであり、「強制補正モード」は、手ぶれ補正処理が常に実施されるモードであり、「非実施モード」は、手ぶれ補正処理が常に実施されないモードである。
【００４６】
また、十字カーソルボタン６５を用いることによって、撮影レンズ３の焦点距離の設定等を行うことができるようになっている。
【００４７】
ＬＣＤ８１は、各種の情報や画像を表示する表示部である。このＬＣＤ８１は撮影待機状態において、ＣＣＤ５にて所定時間間隔（微小時間間隔）で取得される画像を表示（ライブビュー表示）し、被写体像をユーザに確認させつつフレーミングを行わせるファインダとして機能する。すなわち、ＬＣＤ８１は電子式ファインダである。また、ＬＣＤ８１は、後述の光学ファインダなどとは異なり、眼を離隔させた状態でその表示内容を視認するの「非接眼式」のファインダである。
【００４８】
なお、この明細書においては、フレーミングのためなどに用いられるプレビュー用の画像を「ライブビュー画像」と称し、シャッタボタン６１の全押し状態Ｓ２までの押下に応じて記録用の画像として取得される画像を「本撮影画像」とも称する。
【００４９】
また、光学ファインダ８２（図５も参照）は、眼を近づけた状態で被写体像を確認するための「接眼式」のファインダである。また、鏡胴３１の内部の複数のレンズ群３２を介して入射した光線（被写体像）は、図示しないハーフミラーおよびプリズム等を介して、光学ファインダ８２に到達する。すなわち、この光学ファインダ８２は、光学式（より詳細にはＴＴＬ方式）のファインダである。操作者は、この光学ファインダ８２を覗くことによって被写体像を確認することができる。なお、これに限定されず、ＴＴＬ方式（内光式）ではなく、外光式の光学ファインダを用いるようにしてもよい。
【００５０】
また、カメラ本体部２の内部には、各種データを記録するメモリカード９（図４参照）を挿入して装着することが可能とされ、ＣＣＤ５にて取得された記録用の画像（本撮影画像）はメモリカード９に記録されるようになっている。
【００５１】
＜機能ブロック＞
デジタルカメラ１の手ぶれ補正機能やセンタリング情報取得機能等を含む各種の機能は、カメラ本体部２のハウジング２ａ内に設けられる全体制御部の制御に基づいて行われる。図４は、この全体制御部７を含めたデジタルカメラ１の主たる機能構成を機能ブロックとして示す図である。
【００５２】
図４に示すように、ＣＣＤ５、ＣＣＤ移動部５０、ＣＣＤ位置センサ５８、振動センサ４０、操作部６０およびＬＣＤ８１等のデジタルカメラ１の各処理部は全体制御部７に電気的に接続され、全体制御部７の制御下にて動作することとなる。これとともに、ＣＣＤ位置センサ５８にて検出されるＣＣＤ５の位置、振動センサ４０にて検出される角速度、シャッタボタン６１を含む操作部６０の操作内容等は、それぞれ信号として全体制御部７に入力される。
【００５３】
撮影レンズ３は、ズーム・フォーカス駆動部３２１および絞り駆動部３３１を備えている。ズーム・フォーカス駆動部３２１は、ユーザにより設定される焦点距離となるように、また、焦点が合うように（フォーカシング）レンズ群３２に含まれるレンズを適宜Ｚ軸方向に駆動するものである。また、絞り駆動部３３１は、全体制御部７により設定される絞り値となるように絞り３３の開口径を調整するものである。ズーム・フォーカス駆動部３２１および絞り駆動部３３１も電気的に全体制御部７に接続され、全体制御部７の制御下にて動作する。
【００５４】
また、図４において、Ａ／Ｄ変換部２１、画像処理部２２および画像メモリ２３は、ＣＣＤ５にて取得された画像を扱う処理部を示している。すなわち、ＣＣＤ５にて取得されたアナログ信号の画像は、Ａ／Ｄ変換部２１にてデジタル信号に変換され、画像処理部２２にて所定の画像処理がなされた後、画像メモリ２３に一時的に格納される。画像メモリ２３に格納された画像は、記録用画像としてメモリカード９へ記録されたり、ライブビュー表示用画像としてＬＣＤ８１に表示されることとなる。このような画像に対する各種の処理も全体制御部７の制御に基づいて行われる。
【００５５】
全体制御部７は、マイクロコンピュータを備えて構成される。すなわち、全体制御部７は、各種演算処理を行うＣＰＵ７０と、演算を行うための作業領域となるＲＡＭ７５と、制御プログラム等が記憶されるＲＯＭ７６とを備え、上述したようなデジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００５６】
全体制御部７は、自動合焦制御（ＡＦ制御）、自動露出制御（ＡＥ制御）、手ぶれ補正制御などの各種の制御機能を有する。全体制御部７の各種の機能は、予めＲＯＭ７６内に記憶される制御プログラムに従ってＣＰＵ７０が演算処理を行うことにより実現される。また、図４においては、各機能を実現する機能部（ＡＦ制御部７１、ＡＥ制御部７２、手ぶれ補正制御部７３）を便宜的に示している。
【００５７】
ＡＦ制御部７１は、ユーザによってシャッタボタン６１が半押し状態とされた場合に機能し、山登り方式（ビデオ方式あるいはコントラスト方式とも称する）の自動合焦制御を行うための評価値演算動作等を行う。ここでは、画像内の所定のＡＦ評価領域に対応する画像成分について、水平方向に隣接する２画素間での差分絶対値の総和がＡＦ用評価値（合焦用評価値）として算出される。そして、ＡＦ制御部７１は、このＡＦ用評価値を利用して合焦位置を求め、撮影レンズ３を合焦位置に向けて駆動する。言い換えれば、ＡＦ制御部７１は、合焦用評価値を用いて撮影レンズ３の焦点位置を調整することによって自動合焦制御を実現する。
【００５８】
ＡＥ制御部７２は、画像を複数のブロックに分割し、各ブロックの代表輝度値に基づいてＡＥ用評価値を算出する。このＡＥ用評価値を用いて自動露出制御が実現される。
【００５９】
手ぶれ補正制御部７３は、手ぶれ補正機能を実現するための制御を行う。具体的には、手ぶれ補正制御部７３は、振動センサ４０から入力される２つの角速度に基づいて、振動による被写体像のぶれ量およびその向きに対応するＣＣＤ５の移動すべき位置（以下、「移動先位置」という。）を導出する。
【００６０】
手ぶれ補正制御部７３は、ＣＣＤ位置センサ５８から得られるＣＣＤ５の現在位置（測定位置）と、導出した移動先位置（目標位置）とを比較して、ＣＣＤ５の移動すべき移動量および向きを導出する。さらに、導出した移動量および向きに応じた駆動パルスを生成し、この駆動パルスをＣＣＤ移動部５０のアクチュエータ５１１，５３１に送信することにより、ＣＣＤ５を移動先位置に移動させる。このように、デジタルカメラ１の振動に応じた移動先位置を導出し、ＣＣＤ５の現在位置と移動先位置とを比較してＣＣＤ５の位置を移動先位置に順次移動させるクローズドループ制御が行われることにより、画像中の被写体像のぶれが補正されることとなる。
【００６１】
このようにして、デジタルカメラ１に対する手ぶれを補正する「手ぶれ補正処理」が施される。なお、ＣＣＤ移動部５０は、全体制御部７の制御下において、手ぶれ補正機構（光学的補正機構）として機能する。
【００６２】
また、図４に示すように、デジタルカメラ１の各部は、電池８３（一次電池あるいは二次電池）から電力供給を受ける。電池８３から供給される電力量には限りがあるので、デジタルカメラ１における消費電力は低減されることが好ましい。
【００６３】
＜ＬＣＤ８１の角度検出＞
デジタルカメラ１のＬＣＤ８１は、図６の側面図に示すように、デジタルカメラ１の背面に収容された状態（ＰＳ１）から、矢印ＡＲ１の向きに飛び出した後、所定の回転軸ＡＸ１を中心に（矢印ＡＲ２の向き又はその逆向きに）回転してその回転角度を変更した状態（ＰＳ２）となることが可能である。
【００６４】
具体的には、デジタルカメラ１は、カメラ本体部２の背面側に設けられた凹部（図示せず）に嵌合し矢印ＡＲ１の方向に進退可能（摺動可能）な支持部材８１１と、その支持部材８１１に対して回動可能な回動部８１２とを備えている。また、回動部８１２は、ＬＣＤ８１に固設されている。
【００６５】
このような進退機構および回転機構によって、ＬＣＤ８１がデジタルカメラ１のカメラ本体部２に対して回転することが可能になる。また、ＬＣＤ８１がデジタルカメラ１の背面側に飛び出した状態で回転することによって、カメラ本体部２との干渉を回避してＬＣＤ８１の回転範囲を大きくすることができる。
【００６６】
また、支持部材８１１と回動部８１２との間の回転部分には、角度センサ（ポテンショメータ等）８４ａが設けられている。この角度センサ８４ａは、支持部材８１１と回動部８１２との間の回転角度を検出する。支持部材８１１はカメラ本体部２に対して回転せず、回動部８１２はＬＣＤ８１に対して回転しないので、支持部材８１１に対する回動部８１２の回転角度は、カメラ本体部２に対するＬＣＤ８１の回転角度に等しい。したがって、この回転角度が検出されることによって、鉛直平面内（図６の紙面に相当）における、撮影レンズ３の光軸ＬとＬＣＤ８１の表示面の法線とのなす角度θ（図１０も参照）が測定されることになる。このように、角度センサ８４ａは、角度検出部８４（図４参照）の一要素として機能する。
【００６７】
図７〜図９は、各アングルによる撮影状況を示す図である。図７は通常アングルによる撮影（以下、通常アングル撮影とも称する）を示し、図８はハイアングルによる撮影（以下、ハイアングル撮影とも称する）を示し、図９はローアングルによる撮影（以下、ローアングル撮影とも称する）を示す。
【００６８】
図７に示すような通常アングル撮影では比較的良好な姿勢での撮影が行われるため、手ぶれが発生しにくい状況であると言える。これに対して、図８のようなハイアングル撮影、および図９のようなローアングル撮影では、比較的無理な体勢での撮影が行われるため、手ぶれが発生し易い状況であると言える。たとえば、ハイアングル撮影の場合には、デジタルカメラ１を上方に掲げて腕を伸ばした状態で撮影を行うため、非常に手ぶれが発生し易い状況である。
【００６９】
この実施形態においては、このような特性を利用して、角度θに基づいて撮影アングルの判定処理を行った上で、手ぶれ補正処理の実行の有無（言い換えれば、手ぶれ補正処理のオン・オフ）を変更する。なお、角度θに基づいて撮影アングルを判定する処理は、撮影者とＬＣＤ８１との相対位置関係を求める処理に相当する。
【００７０】
具体的には、撮影レンズ３の光軸ＬとＬＣＤ８１の表示面の法線とのなす角度θ（図１０参照）を角度センサ８４ａによって検出し、その角度θに応じて、手ぶれ補正を行うか否かを決定する。なお、ここでは、図１０において、時計の針の回転方向と同じ方向が角度θの正方向であるとして説明する。
【００７１】
たとえば、角度θの絶対値が所定の閾値θｚ（たとえば１０度）よりも大きいという条件（｜θ｜＞θｚ）を満たす場合に、ハイアングル撮影またはローアングル撮影のいずれかが行われていると判定して手ぶれ補正処理を行い、この条件を満たさない場合には、通常アングル撮影が行われていると判定して手ぶれ補正処理を行わないようにすればよい。
【００７２】
あるいは、ハイアングル判定のための閾値θａとローアングル判定のための閾値θｂとを異なる値としてもよい。具体的には、θ＞θａ（たとえば、２０度）、あるいは、θ＜θｂ（たとえば、−１０度）、という条件を満たす場合に、ハイアングル撮影またはローアングル撮影が行われていると判定して手ぶれ補正処理を行い、この条件を満たさない場合（θｂ≦θ≦θａ）には、通常アングル撮影が行われていると判定して手ぶれ補正処理を行わないようにしてもよい。
【００７３】
＜１Ｂ．動作＞
図１１は、デジタルカメラ１における動作を示すフローチャートである。ここでは、図１１を参照しつつ、表示状態（オン状態）に設定されているＬＣＤ８１を用いて、フレーミング動作を行う場合について説明する。また、手ぶれ補正モードは、手ぶれ補正処理の必要性が自動的に判断される「自動モード」（上述）に予め設定されている場合を想定する。
【００７４】
モードスイッチ（電源スイッチ）６２の操作によってカメラの電源がオン状態にされると、まず、ステップＳＰ１において、カメラのモードが再生モードであるのか、撮影モードであるのかが判定される。上述したように、操作者は、モードスイッチ６２を操作することによって、デジタルカメラ１のモードを再生モードと撮影モードとの間で切り替えて設定することができる。デジタルカメラ１は、ステップＳＰ１において、このモードスイッチ６２による設定状態を検出する。再生モードに設定されていることが検出された場合には、ステップＳＰ２に進み、再生モードにおける処理が行われる。一方、撮影モードに設定されていることが検出された場合には、ステップＳＰ３に進み、撮影モードにおける処理が行われる。ここでは、撮影モードが設定されている場合を想定し、ステップＳＰ３に進む。
【００７５】
ステップＳＰ３においては、角度検出部８４によって角度（ＬＣＤ８１の傾き角度）θが検出され、ステップＳＰ４においては、上述のような基準に従って、その検出角度θに基づいて撮影アングルの判定処理が行われる。
【００７６】
ハイアングル撮影またはローアングル撮影であると判定されると、手ぶれ補正処理を実行しつつ、ライブビュー画像の撮像動作および表示動作が継続的に実行される（ステップＳＰ５）。その後、シャッタボタン６１が全押し状態Ｓ２にまで押下されたことが検出されると（ステップＳＰ６）と、手ぶれ補正処理の実行を伴って本撮影画像（静止画像）が撮影され（ステップＳＰ７）、撮影された画像がメモリカード９に記録される（ステップＳＰ８）。
【００７７】
一方、通常アングル撮影であると判定されると、手ぶれ補正機能をオフにした状態で（手ぶれ補正処理を実行しない状態で）ライブビュー画像の撮像および表示動作が継続的に行われる（ステップＳＰ１１）。その後、シャッタボタン６１が全押し状態Ｓ２にまで押下されたことが検出されると（ステップＳＰ１２）と、手ぶれ補正処理の実行を伴わずに本撮影画像（静止画像）が撮影され（ステップＳＰ１３）、撮影された画像がメモリカード９に記録される（ステップＳＰ８）。
【００７８】
なお、ライブビュー表示中において、再生モードへの変更がなされたことが検出された場合（ステップＳＰ６，ＳＰ１２）には、ステップＳＰ２に進み、再生モードにおける処理が行われる。
【００７９】
以上のように、上記のデジタルカメラ１によれば、角度検出部８４の検出結果に基づいて、ＬＣＤ８１と撮影者との相対位置関係を検出（判定）し、検出された相対位置関係に基づいて、手ぶれ補正処理が制御されるので、手ぶれ補正処理が適切に行われる。より詳細には、デジタルカメラ１は、撮影者によるハイアングル撮影およびローアングル撮影のいずれかが行われていると判定するときには手ぶれ補正処理を行うので、手ぶれ補正が必要なときに的確に手ぶれ補正が実行される。また、デジタルカメラ１は、ハイアングル撮影およびローアングル撮影のいずれもが行われていないと判定するときには手ぶれ補正処理を行わないので、消費電力を低減することができる。
【００８０】
なお、上記実施形態においては、角度センサ８４ａによって角度θを検出していたが、これに限定されない。たとえば、図１２に示すような検出スイッチ８４ｂを用いて、ＬＣＤ８１が所定角度回転したことを検出するようにしてもよい。この検出スイッチ８４ｂによれば、その押下状況に応じて、２つの状態（オン状態およびオフ状態）のいずれであるかを検出することができる。
【００８１】
図１２においては、ＬＣＤ８１が上辺側の回転軸ＡＸ２を中心に回転するように、ＬＣＤ８１がカメラ本体部２に回転自在に取り付けられている。ＬＣＤ８１がカメラ本体部２の背面に接する位置（基準位置）ＰＳ３に存在する場合には、検出スイッチ８４ｂがＬＣＤ８１によってカメラ本体部２側に押下されオン（ＯＮ）状態となっている。一方、ＬＣＤ８１が矢印ＡＲ３の向きに所定角度以上回転すると、ＬＣＤ８１がカメラ本体部２の背面から離れ、検出スイッチ８４ｂの押下状態が解除されて、検出スイッチ８４ｂがオフ（ＯＦＦ）状態となる（位置ＰＳ４参照）。
【００８２】
このような検出スイッチ８４ｂによる検出結果を用いて、ＬＣＤ８１の回転角度、ひいては、ＬＣＤ８１と撮影者との相対位置関係を検出（判定）することができる。より詳細には、ローアングル撮影が行われているか否かを判定することができる。そして、相対位置関係に応じた上記と同様の処理を行うことによれば、上記と同様の効果を得ることができる。
【００８３】
＜２．第２実施形態＞
図１３〜図１５は、それぞれ、第２実施形態に係るデジタルカメラ１Ｂの背面左上方側から見た斜視図、デジタルカメラ１Ｂの側面図、およびデジタルカメラ１Ｂの機能ブロック図である。なお、図１３〜図１５においては、第１実施形態のデジタルカメラ１と同じ構成要素については、同じ参照符号を付して示している。
【００８４】
まず、このデジタルカメラ１Ｂの構成について、第１実施形態のデジタルカメラ１との相違点を中心に説明する。
【００８５】
この第２実施形態のデジタルカメラ１Ｂは、光学ファインダ８２の代わりに、電子ビューファインダ（以下、「ＥＶＦ」とも称する）８５を備えている点で第１実施形態と相違する。このＥＶＦ８５は、光学像を直接的に視認するのではなく、撮像素子による撮影画像（ＣＣＤ５によって取得されたライブビュー画像）を視認する点で光学ファインダ８２と相違する。また、ＥＶＦ８５は、接眼式のビューファインダである点で、非接眼式のビューファインダであるＬＣＤ８１と相違する。すなわち、ＥＶＦ８５は、電子式の接眼ビューファインダとも称することができる。
【００８６】
この第２実施形態においては、（ＬＣＤ８１ではなく、）ＥＶＦ８５に対して上記の思想を適用する。すなわち、ＥＶＦ８５を用いて、フレーミング動作を行う際の手ぶれ補正動作について例示する。
【００８７】
ここにおいて、ＥＶＦ８５を用いて撮影を行う場合には、ＬＣＤ８１を用いて撮影を行う場合に比べて手ぶれが生じにくいはなるものの、ローアングル撮影時においては、通常アングル撮影時よりも手ぶれを生じやすいという特性がある。具体的には、ＥＶＦ８５による通常アングル撮影時には、正しい姿勢で撮影すれば手ぶれが生じにくいのに対して、ＥＶＦ８５によるローアングル撮影時には、仮に正しい姿勢で撮影したとしても、ＥＶＦ８５による通常アングル撮影時と比べれば、やはり手ぶれが生じやすくなる。したがって、ＥＶＦ８５によるフレーミング動作を行う際に上記の思想を適用することによれば、上記と同様の効果を得ることができる。
【００８８】
図１３および図１４に示すように、このＥＶＦ８５は、回転軸ＡＸ３を中心に回転するように、ＥＶＦ８５がカメラ本体部２の上部において回転自在に取り付けられている。
【００８９】
ＥＶＦ８５が撮影レンズ３の光軸と平行な方向に被写体像を表示する位置（基準位置）ＰＳ５に存在する場合には、検出スイッチ８６ｂがＥＶＦ８５によってカメラ本体部２側に押下されオン（ＯＮ）状態となっている。この状態では、通常アングル撮影であると判定される。
【００９０】
一方、その状態から、ＥＶＦ８５が矢印ＡＲ５の向きに所定角度以上回転すると、検出スイッチ８６ｂの押下状態が解除されて、検出スイッチ８６ｂがオフ（ＯＦＦ）状態となる（位置ＰＳ６参照）。この状態は、ローアングル撮影であると判定される。
【００９１】
このような検出スイッチ８６ｂによる検出結果を用いて、ＥＶＦ８５の回転角度、ひいては、ＥＶＦ８５と撮影者（より詳細には、撮影者の眼）との相対位置関係を検出（判定）することができる。これによって、ローアングル撮影が行われているか否かを判定することができる。
【００９２】
この検出スイッチ８６ｂは、ＥＶＦ８５の回転角度（傾き角度）を検出する角度検出部８６（図１５参照）の一要素として機能する。なお、この第２実施形態では、検出スイッチ８６ｂを用いて、ＥＶＦ８５の角度を検出する場合を例示しているが、これに限定されず、角度センサ（ポテンショメータ等）を用いて、ＥＶＦ８５の角度を検出するようにしてもよい。
【００９３】
また、第２実施形態においては、操作者は、表示切替ボタン６３を操作することによって、デジタルカメラ１ＢのＬＣＤ８１の状態を表示状態および非表示状態との間で切り替えることができることに加えて、ＥＶＦ８５の状態を表示状態および非表示状態との間で切り替えることもできる。具体的には、操作者が表示切替ボタン６３を押下するごとに、（ａ）ＬＣＤ８１がオン且つＥＶＦ８５がオフの状態、（ｂ）ＬＣＤ８１がオフ且つＥＶＦ８５がオンの状態、（ｃ）ＬＣＤ８１もＥＶＦ８５もオフの状態、の３つの状態が順次に切り替わる。
【００９４】
ここでは、状態（ｂ）が設定されているものとして、説明を続ける。
【００９５】
図１６は、デジタルカメラ１Ｂの動作を示すフローチャートである。なお、図１６においては、図１１の各ステップと同じ動作については、同じ参照符号を付して示している。以下では、図１１との相違点を中心に説明する。
【００９６】
ステップＳＰ１において、撮影モードであると判定されると、ステップＳＰ３ｂに進む。
【００９７】
ステップＳＰ３ｂにおいては角度検出部８６によって角度（ＥＶＦ８５の傾き角度）θが検出され、ステップＳＰ４ｂにおいては、その検出角度θに基づいて撮影アングルの判定処理が行われる。ここでは、ローアングル撮影か否かが判定される。
【００９８】
ローアングル撮影であると判定されると、手ぶれ補正処理を実行しつつ、ライブビュー画像の撮像動作および表示動作が継続的に実行される（ステップＳＰ５）。その後、シャッタボタン６１が全押し状態Ｓ２にまで押下されたことが検出されると（ステップＳＰ６）と、手ぶれ補正処理の実行を伴って本撮影画像（静止画像）が撮影され（ステップＳＰ７）、撮影された画像がメモリカード９に記録される（ステップＳＰ８）。
【００９９】
一方、通常アングル撮影であると判定されると、手ぶれ補正機能をオフにした状態で（手ぶれ補正処理を実行しない状態で）ライブビュー画像の撮像および表示動作が継続的に行われる（ステップＳＰ１１）。その後、シャッタボタン６１が全押し状態Ｓ２にまで押下されたことが検出されると（ステップＳＰ１２）と、手ぶれ補正処理の実行を伴わずに本撮影画像（静止画像）が撮影され（ステップＳＰ１３）、撮影された画像がメモリカード９に記録される（ステップＳＰ８）。
【０１００】
以上のような動作によれば、第１実施形態と同様の効果を得ることができる。
【０１０１】
＜３．第３実施形態＞
第３実施形態に係るデジタルカメラ１Ｃは、第１実施形態のデジタルカメラ１と同様の構成を有しており、以下では、デジタルカメラ１との相違点を中心に説明する。
【０１０２】
図１７は、デジタルカメラ１Ｃを背面側から見た斜視図であり、図１８は、デジタルカメラ１Ｃの機能ブロック図である。
【０１０３】
また、デジタルカメラ１Ｃは、ＥＶＦ８５の近傍位置に接眼検出部８７（より詳細には接眼検出センサ８７ａ）を備えている。
【０１０４】
第３実施形態においては、この接眼検出部８７（より詳細には接眼検出センサ８７ａ）を用いて、接眼ファインダ（ここでは、ＥＶＦ８５）に対する撮影者の接近度合いを検出することによって、デジタルカメラ１Ｃと撮影者との相対位置関係を求め、その相対位置関係に基づいて手ぶれ補正を制御する場合について説明する。なお、ここでは、接眼ファインダとしてＥＶＦ８５を用いる場合を例示するが、これに限定されず、接眼ファインダとして光学ファインダ８２を用いても良い。
【０１０５】
図１９は、接眼検出センサ８７ａ付近の様子を示す図である。図１９に示すように、接眼検出センサ８７ａは、赤外発光ダイオード（発光部）８８と赤外フォトダイオード（受光部）８９とを有している。
【０１０６】
赤外発光ダイオード８８および赤外フォトダイオード８９は、接眼検出のため、次のような状態となるように配置される。具体的には、赤外発光ダイオード８８から出射された光（赤外光）は、撮影者がデジタルカメラ１Ｃを正しく構えたときに、撮影者の顔ＦＣで反射され、赤外フォトダイオード８９で受光される。一方、撮影者が接眼検出部８７（言い換えれば接眼ファインダ）から遠く離れているときには、赤外発光ダイオード８８からの光は、赤外フォトダイオード８９で受光されない。また、接眼検出部８７に撮影者等の物体が非常に近接して赤外フォトダイオード８９からの光を遮った場合にも、赤外発光ダイオード８８からの光は、赤外フォトダイオード８９で受光されない。言い換えれば、撮影者が接眼検出部８７に対して近すぎる場合および遠すぎる場合には、赤外発光ダイオード８８からの光は赤外フォトダイオード８９で受光されない。
【０１０７】
図２０は、撮影者と接眼検出部８７との間の距離Ｌと、赤外フォトダイオード８９の出力値Ｐとの関係を示す図である。
【０１０８】
図２０に示すように、赤外フォトダイオード８９の出力値Ｐは、撮影者が接眼検出部８７に接触した状態（Ｌ＝０）ではゼロ（Ｐ＝０）であり、その後、撮影者が接眼検出部８７から離れていくにつれて増大し、所定距離Ｌ３でピークに到達した後、再び減少していく。
【０１０９】
この実施形態においては、予め適宜に設定された閾値Ｐｚを導入する。そして、出力値Ｐがこの閾値Ｐｚよりも大きいか否かに応じて、撮影者がデジタルカメラ１Ｃを正しく構えているか否かを判定する。  
具体的には、出力値Ｐが所定の閾値Ｐｚよりも大きい場合には、接眼検出部８７から撮影者までの距離Ｌが値Ｌ２以上且つ値Ｌ１以下（Ｌ２≦Ｌ≦Ｌ１）であり、撮影者が接眼検出部８７に対して適度に近接した状態であると判定される。ここで、値Ｌ２，Ｌ１は、出力値Ｐが閾値Ｐｚとなるときの距離Ｌの値である。
【０１１０】
一方、出力値Ｐが所定の閾値Ｐｚよりも小さい場合には、距離Ｌが値Ｌ２より小さい（Ｌ＜Ｌ２）か、あるいは、値Ｌ１よりも大きい（Ｌ＞Ｌ１）。この場合には、撮影者が接眼検出部８７に対して異常に近接した状態であるか、あるいは、離れすぎている状態であると判定される。
【０１１１】
なお、等号成立時（Ｐ＝Ｐｚのとき、言い換えれば、Ｌ＝Ｌ２あるいはＬ＝Ｌ１のとき）は、いずれの状態であると判定しても良い。ここでは、等号成立時は、撮影者が接眼検出部８７に適度に近接した状態ではないと判定するものとする。
【０１１２】
また、この実施形態においては、さらに出力値Ｐの時間的なばらつきをも考慮する。
【０１１３】
図２１〜図２３は、出力値Ｐの経時変化を示す図である。図２１は、出力値Ｐが閾値Ｐｚよりも大きい状態が比較的長い期間（たとえば、２〜３秒以上）続いている状況を示している。すなわち、操作者は正しい姿勢で安定して撮影動作を行っている状態であると言える。
【０１１４】
これに対して、図２２は、出力値Ｐと閾値Ｐｚとの大小関係が比較的短い時間間隔で繰り返し変更される状況を示している。すなわち、不安定な状態であると言える。この場合には、操作者と接眼検出部８７との間の相対的な移動が生じていることになるため、手ぶれが生じやすい状況であると言える。
【０１１５】
また、図２３に示すように、出力値Ｐが閾値Ｐｚを常に下回っている場合には、主に、撮影者がデジタルカメラ１の接眼検出部８７から離れすぎている状況、言い換えれば、接眼ファインダを用いたフレーミングが行われていない状況であると考えられる。
【０１１６】
この実施形態においては、以上のような性質を利用して、接眼検出部８７の出力を所定の閾値と比較して接眼状態であるか否かを判定し、接眼状態であると判定されるときには手ぶれ補正処理を行わず、接眼状態でないと判定されるときには手ぶれ補正処理を行う。
【０１１７】
より詳細には、接眼検出部８７の出力が少なくとも一定期間継続して閾値Ｐｚに関する所定の条件（たとえば、所定の閾値Ｐｚより大きいこと）を満足するときに、接眼状態（言い換えれば、安定した近接状態）であると判定する。一方、この条件を満たさないとき、および、この条件を満たす期間が一定期間継続していない場合には、接眼状態でないと判定する。
【０１１８】
図２４は、デジタルカメラ１Ｃの動作を示すフローチャートである。以下では、図１１との相違点を中心に説明を行う。
【０１１９】
ステップＳＰ１において、撮影モードであると判定されると、ステップＳＰ３３に進む。
【０１２０】
この第３実施形態においては、第２実施形態と同様に、表示切替ボタン６３が押下されるごとに、（ａ）ＬＣＤ８１がオン且つＥＶＦ８５がオフの状態、（ｂ）ＬＣＤ８１がオフ且つＥＶＦ８５がオンの状態、（ｃ）ＬＣＤ８１もＥＶＦ８５もオフの状態、の３つの状態が順次に切り替わる。これによって、撮影者は、フレーミング動作をＬＣＤ８１とＥＶＦ８５とのうちのいずれを用いて行うかを設定することができる。
【０１２１】
ステップＳＰ３３において、この設定内容が確認される。
【０１２２】
具体的には、ＥＶＦ８５がオフにされているとき、言い換えれば、接眼ファインダであるＥＶＦ８５がフレーミング用のファインダとして選択されていないとき（上記の（ａ）または（ｃ））には、手ぶれが発生しやすい状態であり手ぶれ補正が必要であると判定する。そして、手ぶれ補正機能をオン状態にして、ライブビュー画像の撮影動作および表示動作を行う（ステップＳＰ５）。すなわち、手ぶれ補正処理を伴うフレーミング動作が行われる。その後、ステップＳＰ６，ＳＰ７，ＳＰ８に進み、手ぶれ補正処理を伴う本画像撮影処理等が行われる。
【０１２３】
一方、ＥＶＦ８５がオンにされているとき、言い換えれば、接眼ファインダ（ＥＶＦ８５）がフレーミング用のファインダとして選択されているとき（上記の（ｂ））には、ステップＳＰ３５に進み、接眼検出処理が行われる。この接眼検出処理の詳細は、上述の通りである。端的に言えば、接眼検出部８７の出力値Ｐと閾値Ｐｚとの関係の経時変化に応じて、接眼状態であるか否かが判定される（ステップＳＰ３６）。
【０１２４】
接眼状態でないと判定される場合には、ステップＳＰ５，ＳＰ６，ＳＰ７，ＳＰ８に進み、手ぶれ補正処理を伴うライブビュー表示、および手ぶれ補正処理を伴う本画像撮影処理等が行われる。
【０１２５】
なお、この場合、フレーミング動作が行われていないものと判断して、ＥＶＦ８５をオフ状態にするようにしてもよい。あるいは、ＥＶＦ８５として、比較的離れた位置からライブビュー画像を視認することが可能となるように構成されたＥＶＦを用い、そのＥＶＦにライブビュー画像を表示させることによって、フレーミング動作を行うことも可能である。
【０１２６】
これに対して、接眼状態であると判定される場合には、ステップＳＰ１１，ＳＰ１２，ＳＰ１３に進み、手ぶれ補正処理を伴わないライブビュー表示、および手ぶれ補正処理を伴わない本画像撮影処理等が行われる。
【０１２７】
以上のように、この第３実施形態によれば、接眼検出部８７を用いて、接眼ファインダ（ＥＶＦ８５）に対する撮影者の接近度合いを検出することによって、デジタルカメラ１Ｃと撮影者との相対位置関係を求め、その相対位置関係に基づいて手ぶれ補正が制御されるので、手ぶれ補正処理が適切に行われる。
【０１２８】
また、ＬＣＤ８１ではなくＥＶＦ８５を使用することがユーザにより設定されている場合であっても、接眼検出部８７の検出結果に基づいて接眼状態でないと判定される（ステップＳＰ３５）ときには、手ぶれ補正処理が実行（ステップＳＰ５）される。したがって、手ぶれ補正を的確に行うことが可能である。また、手ぶれ補正処理を伴って取得されたライブビュー画像が表示される場合には、そのライブビュー画像を用いて、フレーミング動作を行うことができるので、操作性が高い。
【０１２９】
特に、ステップＳＰ３６等において、接眼検出部８７の出力値Ｐが少なくとも一定期間継続して閾値Ｐｚに関する所定の条件（ここでは、Ｐ＞Ｐｚ）を満足するときに、接眼状態であると判定するので、接眼状態であるか否かをより正確に判定することができる。したがって、手ぶれ補正処理を実行すべきか否かについての判定精度を向上させることができる。
【０１３０】
また、接眼検出部８７の検出結果に基づいて接眼状態であると判定される（ステップＳＰ３６）場合には手ぶれ補正処理が実行されない（ステップＳＰ１１）ので、消費電力を低減することができる。
【０１３１】
＜４．その他＞
以上、この発明の実施の形態について説明したが、この発明は上記説明した内容のものに限定されるものではない。
【０１３２】
たとえば、上記第１実施形態においては、ＬＣＤ８１を用いた撮影時において、その撮影アングルに応じて、手ぶれ補正処理の実行の有無を切り替える場合について説明した。また、上記の第２実施形態においては、接眼状態でライブビュー画像を視認させることが可能なＥＶＦ８５に対して撮影者の眼を近接させて撮影動作を行う場合に、ＥＶＦ８５の角度等に基づいて判定された撮影アングルに応じて、手ぶれ補正処理の実行の有無を切り替える場合等について説明した。しかしながら、これらの態様に限定されない。
【０１３３】
具体的には、接眼状態でライブビュー画像を視認させることが可能であって、且つ、非接眼状態でもライブビュー画像を視認させることが可能なＥＶＦをファインダとして用いる場合に、上記と同様の思想を適用するようにしてもよい。より詳細には、その表示部の近傍位置に所定の光学系（拡大光学系）をさらに設けることによって、比較的離れた位置からライブビュー画像を視認することが可能となるように構成されたＥＶＦをデジタルカメラに設ける。そして、このＥＶＦの角度等に基づいて判定された撮影アングルに応じて、手ぶれ補正処理の実行の有無を切り替えるなどの動作を行うようにしてもよい。
【図面の簡単な説明】
【０１３４】
【図１】第１実施形態に係るデジタルカメラ１の主たる構成を示す断面図である。
【図２】結像平面上のイメージサークルおよび画像取得領域を示す図である。
【図３】ＣＣＤ移動部の分解斜視図である。
【図４】デジタルカメラ１の主たる機能構成を示す図である。
【図５】デジタルカメラ１の背面からみた斜視図である。
【図６】デジタルカメラ１の側面図である。
【図７】通常アングル撮影を示す図である。
【図８】ハイアングル撮影を示す図である。
【図９】ローアングル撮影を示す図である。
【図１０】撮影レンズ３の光軸ＬとＬＣＤ８１の表示面の法線とのなす角度θを示す図である。
【図１１】デジタルカメラ１の動作を示すフローチャートである。
【図１２】ＬＣＤ８１の回転角度の検出に関する変形例を示す図である。
【図１３】第２実施形態に係るデジタルカメラ１Ｂの背面左上方側から見た斜視図である。
【図１４】デジタルカメラ１Ｂの側面図である。
【図１５】デジタルカメラ１Ｂの機能ブロック図である。
【図１６】デジタルカメラ１Ｂの動作を示すフローチャートである。
【図１７】第３実施形態に係るデジタルカメラ１Ｃを背面側から見た斜視図である。
【図１８】デジタルカメラ１Ｃの機能ブロック図である。
【図１９】接眼検出センサ８７ａ付近の様子を示す図である。
【図２０】撮影者までの距離Ｌと赤外フォトダイオード８９の出力値Ｐとの関係を示す図である。
【図２１】出力値Ｐの経時変化の一例を示す図である。
【図２２】出力値Ｐの経時変化の他の一例を示す図である。
【図２３】出力値Ｐの経時変化のさらに別の一例を示す図である。
【図２４】デジタルカメラ１Ｃの動作を示すフローチャートである。
【符号の説明】
【０１３５】
１，１Ｂ，１Ｃ  デジタルカメラ
２  カメラ本体部
３  撮影レンズ
５  ＣＣＤ
４０  振動センサ
５０  ＣＣＤ移動部
６１  シャッタボタン
８１  ＬＣＤ
８２  光学ファインダ
８４，８６  角度検出部
８４ａ  角度センサ
８４ｂ，８６ｂ  検出スイッチ
８５  ＥＶＦ
８７  接眼検出部
８７ａ  接眼検出センサ
【図１】
2005175897.tif 000003
【図２】
2005175897.tif 000004
【図３】
2005175897.tif 000005
【図４】
2005175897.tif 000006
【図５】
2005175897.tif 000007
【図６】
2005175897.tif 000008
【図７】
2005175897.tif 000009
【図８】
2005175897.tif 000010
【図９】
2005175897.tif 000011
【図１０】
2005175897.tif 000012
【図１１】
2005175897.tif 000013
【図１２】
2005175897.tif 000014
【図１３】
2005175897.tif 000015
【図１４】
2005175897.tif 000016
【図１５】
2005175897.tif 000017
【図１６】
2005175897.tif 000018
【図１７】
2005175897.tif 000019
【図１８】
2005175897.tif 000020
【図１９】
2005175897.tif 000021
【図２０】
2005175897.tif 000022
【図２１】
2005175897.tif 000023
【図２２】
2005175897.tif 000024
【図２３】
2005175897.tif 000025
【図２４】
2005175897.tif 000026